(57)【要約】【課題】電線を露出させることなく、配線蓋および側面カバーを最小にし、作業性の高い空気調和機の室外機を提供すること。【解決手段】少なくとも熱交換器、送風機、圧縮機、およびこれらを駆動制御する電気部品を内部に配設し、前記電気部品とリード線９を介して電気的に接続する端子部８と、室内機と冷媒配管で接続する開閉弁４ａ（４ｂ）とを側部に備えた空気調和機の室外機において、端子部８を配線蓋１で覆い、開閉弁４ａ（４ｂ）を開閉弁カバー２で覆い、配線蓋１の下縁部１ｃと、開閉弁カバー２の上縁部２ｃとを密接させる。【選択図】図２
2007232275.tif 000002
【特許請求の範囲】
【請求項１】
少なくとも熱交換器、送風機、圧縮機、およびこれらを駆動制御する電気部品を内部に配設し、前記電気部品とリード線を介して電気的に接続する端子部と、室内機と冷媒配管で接続する開閉弁とを側部に備えた空気調和機の室外機において、前記端子部を配線蓋で覆い、前記開閉弁を開閉弁カバーで覆い、前記配線蓋の下縁部と、前記開閉弁カバーの上縁部とを密接させることを特徴とする空気調和機の室外機。
【請求項２】
配線蓋の下縁部に切欠部を設け、開閉弁カバーの上縁部に突起部を設け、前記切欠部に前記突起部を嵌合させることを特徴とする請求項１に記載の空気調和機の室外機。
【発明の詳細な説明】
【技術分野】
【０００１】
本発明は、空気調和機の室外機の側面部を構成するカバーの構造に関するものである。
【背景技術】
【０００２】
従来の空気調和機は、室内機と室外機から構成され、冷媒配管によって室内機と室外機が接続される。また室内機と接続する接続口は、外部から操作できるように、室外機の側面外部に配設されている。しかしながら、メンテナンスや修理時などの状況によっては、冷媒配管を接続口から外さなければならない。そのため、室内機と室外機とを冷媒配管で接続していないときに、室外機内に配設された機器から、冷媒が漏出しないように、開閉操作可能な開閉弁となっている（例えば、特許文献１参照）。
【０００３】
図３は従来の空気調和機の室外機の斜視図である。図３において、室内機（図示せず）と室外機１００とを冷媒配管で接続する開閉弁１０１が、室外機の外部から使用者が操作できるように、室外機の側面外部に設けられている。さらに室外機１００は、室外機の筐体内に配設される電気部品と、リード線を介して電気的に接続する端子部を覆う配線蓋１０２、そして、開閉弁１０１および配線蓋１０２を覆う側面カバー１０３を有する。
【特許文献１】特開平７−６３３７６号公報
【発明の開示】
【発明が解決しようとする課題】
【０００４】
しかしながら、前記従来の構成では、側面カバー１０３で、開閉弁１０１および配線蓋１０２、端子部に接続する電線などを覆う構成となっており、側面カバー１０３の形状が大きくなってしまう。また、電線を端子部に接続するなどの工事やメンテナンスの際には、側面カバー１０３を外し、さらに配線蓋１０２を外して、電線を端子部に接続しなければならず、工事工数がかかるという課題を有していた。
【０００５】
本発明は、前記従来の課題を解決するもので、電線を露出させることなく、配線蓋および側面カバーを最小にし、作業性の高い空気調和機の室外機を提供することを目的とする。
【課題を解決するための手段】
【０００６】
前記従来の課題を解決するために、本発明の空気調和機の室外機は、少なくとも熱交換器、送風機、圧縮機、およびこれらを駆動制御する電気部品を内部に配設し、前記電気部品とリード線を介して電気的に接続する端子部と、室内機と冷媒配管で接続する開閉弁とを側部に備えた空気調和機の室外機において、前記端子部を配線蓋で覆い、前記開閉弁を開閉弁カバーで覆い、前記配線蓋の下縁部と、前記開閉弁カバーの上縁部とを密接させることを特徴とするものである。
【０００７】
これによって、端子部を覆う配線蓋を、開閉弁カバーで覆うことなく空気調和機の室外機の側部を構成することができる。
【発明の効果】
【０００８】
電線を露出させることなく、配線蓋および側面カバーを最小にし、作業性の高い空気調和機の室外機を提供することができる。
【発明を実施するための最良の形態】
【０００９】
第１の発明は、少なくとも熱交換器、送風機、圧縮機、およびこれらを駆動制御する電
気部品を内部に配設し、前記電気部品とリード線を介して電気的に接続する端子部と、室内機と冷媒配管で接続する開閉弁とを側部に備えた空気調和機の室外機において、前記端子部を配線蓋で覆い、前記開閉弁を開閉弁カバーで覆い、前記配線蓋の下縁部と、前記開閉弁カバーの上縁部とを密接させることを特徴とするものであり、端子部を覆う配線蓋を、開閉弁カバーで覆うことなく空気調和機の室外機の側部を構成することができる。そのため、開閉弁カバーを小型化することができ、大幅なコスト削減を実現できる。また、電線などの外部配線が露出することがないので、外観の美観を確保することができる。また、配線蓋は金属で形成されるので、配線接続部において、発熱するようなことがあっても、熱の悪影響を受けにくい構成となっている。また、配線蓋の上から開閉弁カバーを覆う構成ではないので、メンテナンスや修理時において配線蓋を外す作業工数を減らすことができ、メンテナンス性のすぐれた空気調和機の室外機を提供することができる。
【００１０】
第２の発明は、特に第１の発明において、配線蓋の下縁部に切欠部を設け、開閉弁カバーの上縁部に突起部を設け、前記切欠部に前記突起部を嵌合させることを特徴とするものであり、開閉弁カバーや配線蓋の位置決めを容易にするだけでなく、配線蓋および開閉弁カバーを別々に取り付けることができる構造となり、メンテナンスや修理時に開閉弁カバーだけ取り外したり、また配線蓋だけ取り外したりすることができ、なおかつ、配線蓋および開閉弁カバーを取り付ける順序も関係なくなるので、作業時間の短縮化を図ることができる。
【００１１】
以下、本発明の実施の形態について、図面を参照しながら説明する。なお、この実施の形態によって本発明が限定されるものではない。
【００１２】
（実施の形態１）
図１は、本発明の空気調和機の室外機の斜視図であり、図２は、本発明の空気調和機の室外機の要部分解図である。図１、図２において、本発明の空気調和機の室外機は、室外機本体３と、室外機本体３内に配設される室外熱交換器、送風機、圧縮機などの冷凍サイクル部品と、その冷凍サイクル部品の電気部品（図示せず）から構成される。また、室外機本体３の右側面部６には、電源端子部８を斜めに傾斜した状態で取り付けることができる端子取付部６ａと、開閉弁４ａ、４ｂを取り付ける開閉弁取付部６ｂが設けられる。
【００１３】
実際の据付け現場においては、開閉弁４ａ、４ｂには、冷媒配管５ａ、５ｂが接続され、開閉弁を開状態にして、冷媒を流通させる。また、端子部である電源端子部８には、リード線９を介して、室外機本体３内に配設された圧縮機、送風機などの冷凍サイクル部品の電気部品と繋げられている。電源端子部８には、室内機を介して外部市中電源に接続された電線７が接続され、電気部品に電気が供給される。また、冷媒配管５ａ、５ｂや、電線７を接続した後に、開閉弁４ａ、４ｂを覆うように開閉弁カバー２を取付け、次に端子取付部６ａを覆うように、配線蓋１を取り付ける。
【００１４】
図３（ａ）は図１のＡＡ断面図、図３（ｂ）は図１のＢＢ断面図、図４は、図３（ａ）のＺ部拡大分解図、図５（ａ）は開閉弁カバーの上縁拡大図、図５（ｂ）は配線蓋１の下縁拡大図である。図３（ａ）（ｂ）、図４、図５において、配線蓋１の下縁には、切欠部１ａと取り出し口１ｂが設けられており、開閉弁カバー２の上縁には、突起部２ａと取り入れ口２ｂが設けられており、切欠部１ａと突起部２ａとが、嵌合するように配線蓋１および開閉弁カバー２を取り付ける。この時、配線蓋１および開閉弁カバー２を取り付ける順序は、どちらを先に取り付けてもよく、どちらか一方が取り付けられると、もう一方が切欠部１ａもしくは突起部２ａに合わせて取り付けることができ位置決めが容易になる。また、取り出し口１ｂと取り入れ口２ｂは、電線７が配設されるために設けられている。また、開閉弁カバー２の上縁２ｃと、配線蓋１の下縁１ｃとは密接している構造となっており、これによって電線７が露出することがないので、外観の美観を確保することができ
る。
【００１５】
以上のように、本実施の形態においては、端子取付部６ａを配線蓋１で覆い、開閉弁４ａ、４ｂを開閉弁カバー２で覆い、配線蓋１の下縁１ｃと、開閉弁カバー２の上縁２ｃとが密接する構成とすることにより、電線などの外部配線が露出することがないので、外観の美観を確保することができる。また、配線蓋は金属で形成されるので、配線接続部において、発熱するようなことがあっても、熱の悪影響を受けにくい構成となっている。また、配線蓋の上から開閉弁カバーを覆う構成ではないので、メンテナンスや修理時において配線蓋を外す作業工数を減らすことができ、メンテナンス性のすぐれた空気調和機の室外機を提供することができる。
【００１６】
また、配線蓋１の下縁１ｃに切欠部１ａを設け、開閉弁カバー２の上縁２ｃに突起部２ａを設け、切欠部１ａに突起部２ａを嵌合させることにより、メンテナンスや修理時に開閉弁カバー２だけ取り外したり、また配線蓋１だけ取り外したりすることができ、なおかつ、配線蓋１および開閉弁カバー２を取り付ける順序も関係なくなるので、作業時間の短縮化を図ることができる。
【産業上の利用可能性】
【００１７】
以上のように、本発明に係る空気調和機の室外機は、室外機構造を有する空気調和機以外の製品にも適用することができ、例えば、ヒートポンプ式給湯装置などにも適用できる。
【図面の簡単な説明】
【００１８】
【図１】本発明の実施の形態１における空気調和機の室外機の斜視図
【図２】同実施の形態における空気調和機の室外機の要部分解図
【図３】（ａ）ＡＡ断面図（ｂ）ＢＢ断面図
【図４】Ｚ部拡大分解図
【図５】（ａ）同実施の形態における開閉弁カバーの要部拡大図（ｂ）同実施の形態における配線蓋の要部拡大図
【図６】従来の空気調和機の室外機の斜視図
【符号の説明】
【００１９】
１  配線蓋
１ａ  切欠部
１ｂ  取り出し口
１ｃ  下縁
２  開閉弁カバー
２ａ  突起部
２ｂ  取り入れ口
２ｃ  上縁
６  右側面部
７  電線
【図１】
2007232275.tif 000003
【図２】
2007232275.tif 000004
【図３】
2007232275.tif 000005
【図４】
2007232275.tif 000006
【図５】
2007232275.tif 000007
【図６】
2007232275.tif 000008